(57)【特許請求の範囲】
【請求項１】
第１ノードと第２ノードとの間で、１つ又は複数のＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）用ストリームを設定するように構成されている移動通信システムであって、
前記第１ノード及び前記第２ノードは、前記ＳＣＴＰ用ストリームの中で移動局に対して割り当て可能なＳＣＴＰ用ストリームを管理しており、
前記割り当て可能なＳＣＴＰ用ストリームは、前記移動局による通常呼が発生した場合及び該移動局による緊急呼が発生した場合のいずれにおいても、該移動局に対して割り当て可能であり、
前記第１ノード及び前記第２ノードは、該第１ノード配下の移動局による呼が発生した場合、該移動局に対して、前記割り当て可能なＳＣＴＰ用ストリームの中で、割り当てられている移動局の数が最も少ないＳＣＴＰ用ストリームを割り当てるように構成されており、
前記第１ノード及び前記第２ノードは、前記移動局による通常呼が発生した場合には、前記割り当て可能なＳＣＴＰ用ストリームの数を増やすことなく、該移動局による最初の緊急呼が発生した場合に、該割り当て可能なＳＣＴＰ用ストリームの数を増やすように構成されていることを特徴とする移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）方式の移動通信システムでは、第１ノード（例えば、無線基地局ｅＮＢ）と第２ノード（例えば、移動管理ノードＭＭＥや無線基地局ｅＮＢ等）との間で、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）を用いて通信が行われるように構成されている。
【先行技術文献】
【非特許文献】
【０００３】
【非特許文献１】３ＧＰＰ  ＴＳ３６.４１２  ７章
【特許文献】
【０００４】
【特許文献１】特開２０１０-８７９９０（特願２００８-２５６６８１）
【発明の概要】
【発明が解決しようとする課題】
【０００５】
ここで、実際の運用では、緊急呼用のＳ１ＡＰ信号及びＸ２ＡＰ信号と通常呼（非緊急呼）用のＳ１ＡＰ信号及びＸ２ＡＰ信号とを区別して優先制御を行う必要がある。
【０００６】
かかる理由は、緊急呼及び通常呼を同じＳＣＴＰ用ストリーム（Ｓｔｒｅａｍ）上で処理すると、通常呼に対する処理が終わらない限り、緊急呼に対する処理が行われないという事象、すなわち、「Ｈｅａｄ  Ｏｆ  Ｌｉｎｅ  Ｂｌｏｃｋｉｎｇ」の発生を避けるためである。
【０００７】
しかしながら、既存のＬＴＥ方式の移動通信システムでは、上述の優先制御を行うことについて規定されていないという問題点があった。
【０００８】
そこで、本発明は、上述の課題に鑑みてなされたものであり、ＳＣＴＰレイヤにおいて、緊急呼用のＳ１ＡＰ信号及びＸ２ＡＰ信号と通常呼用のＳ１ＡＰ信号及びＸ２ＡＰ信号とを区別して優先制御を行うことができる移動通信システムを提供することを目的とする。
【課題を解決するための手段】
【０００９】
本発明の第１の特徴は、第１ノードと第２ノードとの間で、１つ又は複数のＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）用ストリームを設定するように構成されている移動通信システムであって、前記第１ノード及び前記第２ノードは、該第１ノード配下の移動局による呼が発生した場合、該呼が緊急呼であるか通常呼であるかに関わらず、設定されている前記ＳＣＴＰ用ストリームのうちの１つを、該移動局に対してラウンドロビンで割り当てるように構成されていることを要旨とする。
【００１０】
本発明の第２の特徴は、第１ノードと第２ノードとの間で、１つ又は複数のＳＣＴＰ用ストリームを設定するように構成されている移動通信システムであって、前記第１ノード及び前記第２ノードは、該第１ノード配下の移動局による呼が発生した場合、該呼が緊急呼であるか通常呼であるかに関わらず、設定されている前記ＳＣＴＰ用ストリームの中で割り当てられている移動局の数が最も少ないＳＣＴＰ用ストリームを、該移動局に対して割り当てるように構成されていることを要旨とする。
【００１１】
本発明の第３の特徴は、第１ノードと第２ノードとの間で、１つ又は複数のＳＣＴＰ用ストリームを設定するように構成されている移動通信システムであって、前記第１ノード及び前記第２ノードは、設定されている前記ＳＣＴＰ用ストリームを、緊急呼を行う移動局に対して割り当て可能な緊急ＳＣＴＰ用ストリームと通常呼を行う移動局に対して割り当て可能な通常ＳＣＴＰ用ストリームとに分けて管理するように構成されており、前記第１ノード及び前記第２ノードは、該第１ノード配下の第１移動局による緊急呼が発生した場合、該第１移動局に対して前記緊急ＳＣＴＰ用ストリームのうちの１つを割り当てるように構成されており、前記第１ノード及び前記第２ノードは、該第１ノード配下の第２移動局による通常呼が発生した場合、該第２移動局に対して前記通常ＳＣＴＰ用ストリームのうちの１つを割り当てるように構成されていることを要旨とする。
【００１２】
本発明の第４の特徴は、第１ノードと第２ノードとの間で、１つ又は複数のＳＣＴＰ用ストリームを設定するように構成されている移動通信システムであって、  前記第１ノード及び前記第２ノードは、前記ＳＣＴＰ用ストリームの中で移動局に対して割り当て可能なＳＣＴＰ用ストリームを管理しており、前記第１ノード及び前記第２ノードは、該第１ノード配下の移動局による呼が発生した場合、該移動局に対して、前記割り当て可能なＳＣＴＰ用ストリームの中で、割り当てられている移動局の数が最も少ないＳＣＴＰ用ストリームを割り当てるように構成されており、前記第１ノード及び前記第２ノードは、最初の緊急呼が発生した場合に、前記割り当て可能なＳＣＴＰ用ストリームの数を増やすように構成されていることを要旨とする。
【発明の効果】
【００１３】
以上説明したように、本発明によれば、ＳＣＴＰレイヤにおいて、緊急呼用のＳ１ＡＰ信号及びＸ２ＡＰ信号と通常呼用のＳ１ＡＰ信号及びＸ２ＡＰ信号とを区別して優先制御を行うことができる移動通信システムを提供することができる。
【図面の簡単な説明】
【００１４】
【図１】本発明の第１の実施形態に係る移動通信システムにおける各ノードのプロトコルスタックを示す図である。
【図２】本発明の第１の実施形態に係る移動通信システムにおいて用いられる「ＳＣＴＰ  Ａｓｓｏｃｉａｔｉｏｎ」を説明するための図である。
【図３】本発明の第１の実施形態に係る移動通信システムで用いられるＳＣＴＰストリームの割り当てアルゴリズムの一例を示す図である。
【図４】本発明の第１の実施形態に係る移動通信システムで用いられるＳＣＴＰストリームの割り当てアルゴリズムの一例を示す図である。
【図５】本発明の第１の実施形態に係る移動通信システムで用いられるＳＣＴＰストリームの割り当てアルゴリズムの一例を示す図である。
【図６】本発明の第１の実施形態に係る移動通信システムで用いられるＳＣＴＰストリームの割り当てアルゴリズムの一例を示す図である。
【発明を実施するための形態】
【００１５】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１６】
図１に示すように、本実施形態に係る移動通信システムでは、ノード（エンドポイント）＃Ａとノード（エンドポイント）＃Ｚとの間で、ＡＰ（Ａｐｐｌｉｃａｔｉｏｎ  Ｐｒｏｔｏｃｏｌ）レイヤと、ＡＰレイヤよりも下位レイヤであるＳＣＴＰレイヤと、ＳＣＴＰレイヤよりも下位レイヤであるＬ１/Ｌ２/Ｌ３レイヤとを用いて通信が行われるように構成されている。
【００１７】
ここで、ＳＣＴＰレイヤとＬ１/Ｌ２/Ｌ３レイヤとを併せて「ＰＦ（プラットフォーム）」と呼ぶ。
【００１８】
また、ノード＃Ａ及びノード＃Ｚ内において、ＡＰレイヤとＳＣＴＰレイヤとの間では、ＡＰＩ（ＡＰ  Ｉｎｔｅｒｆａｃｅ）を介して通信が行われるように構成されている。
【００１９】
また、ノード＃Ａとノード＃Ｚとの組み合わせは、無線基地局ｅＮＢ同士であってもよいし、無線基地局ｅＮＢと移動管理ノードＭＭＥとの組み合わせであってもよい。
【００２０】
本実施形態に係る移動通信システムでは、図２に示すように、ノード＃ＡのＳＣＴＰレイヤとノード＃ＺのＳＣＴＰレイヤとの間で、「ＳＣＴＰ  Ａｓｓｏｃｉａｔｉｏｎ」が設定されるように構成されている。
【００２１】
ここで、かかる「ＳＣＴＰ  Ａｓｓｏｃｉａｔｉｏｎ」において、「Ｍｕｌｔｉｈｏｍｉｎｇ」が適用されている場合、送信側ノードとしてのノード＃ＡのＳＣＴＰレイヤは、１つ又は複数の送信側ＩＰアドレス（Ｓｏｕｒｃｅ  ＩＰ  Ａｄｄｒｅｓｓ）を有することができ、受信側ノードとしてのノード＃ＺのＳＣＴＰレイヤは、１つ又は複数の受信側ＩＰアドレス（Ｄｅｓｔｉｎａｔｉｏｎ  ＩＰ  Ａｄｄｒｅｓｓ）を有することができる。
【００２２】
図２の例では、かかる「ＳＣＴＰ  Ａｓｓｏｃｉａｔｉｏｎ」において、ノード＃Ａは、複数の送信側ＩＰアドレスＩＰ＃１乃至＃３を有し、ノード＃Ｚは、複数の送信側ＩＰアドレスＩＰ＃１１乃至＃１３を有している。
【００２３】
したがって、上述の「Ｍｕｌｔｉｈｏｍｉｎｇ」が適用されている場合には、すなわち、ノード＃Ａ及びノード＃Ｚがそれぞれ複数のＩＰアドレスを有する場合には、１つの「ＳＣＴＰ  Ａｓｓｏｃｉａｔｉｏｎ」において、複数のＩＰアドレスを用いて通信を行うことができる、すなわち、複数の物理パスを設定することができる。
【００２４】
ここで、複数の物理パスは、送信側ＩＰアドレス（ＩＰ＃１乃至＃３）の各々と受信側ＩＰアドレス（ＩＰ＃１１乃至＃１３）の各々とによって設定されるように構成されている。
【００２５】
なお、「Ｍｕｌｔｉｈｏｍｉｎｇ」が設定される際に、各「ＳＣＴＰ  Ａｓｓｏｃｉａｔｉｏｎ」を構成する複数の物理パスのうち、デフォルトで使用するプライマリーパス（Ｐｒｉｍａｒｙ  Ｐａｔｈ）が決定されるように構成されている。
【００２６】
また、ノード＃Ａとノード＃Ｚとの間で、１つ又は複数のＳＣＴＰ用ストリームが、かかる「ＳＣＴＰ  Ａｓｓｏｃｉａｔｉｏｎ」内で設定されるように構成されている。
【００２７】
また、ノード＃Ａにおいて、ＡＰレイヤは、ノード＃Ａ配下の移動局ＵＥによる呼が発生した場合、ＡＰＩを介して、ＳＣＴＰレイヤに対して、インディケータや所定ビットを用いて、かかる呼が緊急呼であるか否かついて通知するように構成されている。
【００２８】
また、ノード＃Ａ及びノード＃Ｚにおいて、ＳＣＴＰレイヤは、上述の呼に対して、所定アルゴリズムを用いて、ＳＣＴＰ用ストリームの割り当て制御を行うように構成されている。
【００２９】
以下、図３乃至図６を参照して、ノード＃Ａ及びノード＃Ｚにおいて行われるＳＣＴＰ用ストリームの割り当て制御の例について説明する。
【００３０】
ここで、図３乃至図６の例において、移動局ＵＥ＃１による呼、移動局ＵＥ＃２による呼、移動局ＵＥ＃３による呼、移動局ＵＥ＃４による呼、移動局ＵＥ＃５による呼、移動局ＵＥ＃６による呼、移動局ＵＥ＃７による呼が、その順番で発生するものとする。
【００３１】
また、図３乃至図６の例において、移動局ＵＥ＃７による呼が発生した後に、移動局ＵＥ＃４による呼が終了するものとする。
【００３２】
なお、ノード＃Ａとノード＃Ｚとの間では、ＳＣＴＰ用ストリーム＃１乃至＃５が設定されているものとする。
【００３３】
＜アルゴリズム１＞
ＳＣＴＰレイヤは、アルゴリズム１を用いると、ノード＃Ａ配下の移動局ＵＥによる呼が発生した場合に、かかる呼が緊急呼であるか通常呼であるかに関わらず、設定されているＳＣＴＰ用ストリームのうちの１つを、かかる移動局ＵＥに対してラウンドロビンで割り当てるように構成されている。
【００３４】
例えば、ＳＣＴＰレイヤは、図３に示すように、移動局ＵＥ＃１に対してＳＣＴＰ用ストリーム＃１を割り当て、移動局ＵＥ＃２に対してＳＣＴＰ用ストリーム＃２を割り当て、移動局ＵＥ＃３に対してＳＣＴＰ用ストリーム＃３を割り当て、移動局ＵＥ＃４に対してＳＣＴＰ用ストリーム＃４を割り当て、移動局ＵＥ＃５に対してＳＣＴＰ用ストリーム＃５を割り当て、移動局ＵＥ＃６に対してＳＣＴＰ用ストリーム＃１を割り当て、移動局ＵＥ＃７に対してＳＣＴＰ用ストリーム＃２を割り当てるように構成されている。
【００３５】
アルゴリズム１は、シンプルなアルゴリズムであるため、ＳＣＴＰレイヤが、かかるアルゴリズム１を用いた場合、ＳＣＴＰ用ストリームの割り当て制御に必要となる処理能力が少なくて済む。
【００３６】
＜アルゴリズム２＞
ＳＣＴＰレイヤは、アルゴリズム２を用いると、ノード＃Ａ配下の移動局ＵＥによる呼が発生した場合に、かかる呼が緊急呼であるか通常呼であるかに関わらず、設定されているＳＣＴＰ用ストリームの中で割り当てられている移動局ＵＥの数が最も少ないＳＣＴＰ用ストリームを、かかる移動局ＵＥに対して割り当てるように構成されている。
【００３７】
ここで、図４に示すように、ＳＣＴＰレイヤは、緊急呼を行う移動局に対して割り当て可能な緊急ＳＣＴＰ用ストリーム及び通常呼を行う移動局に対して割り当て可能な通常ＳＣＴＰ用ストリームが同一となるように管理している。
【００３８】
例えば、ＳＣＴＰレイヤは、図４に示すように、第１に、ノード＃Ａ配下の移動局ＵＥ＃１による通常呼が発生した場合に、ＳＣＴＰ用ストリーム＃１乃至＃５の中で割り当てられている移動局ＵＥの数が最も少ないＳＣＴＰ用ストリーム＃１を、かかる移動局ＵＥ＃１に対して割り当てるように構成されている。
【００３９】
ここで、ＳＣＴＰレイヤは、ＳＣＴＰ用ストリーム＃１乃至＃５の中で割り当てられている移動局ＵＥの数が最も少ないＳＣＴＰ用ストリーム＃１乃至＃５（割り当てられている移動局ＵＥの数：０）のうち、識別番号の最も小さいＳＣＴＰ用ストリーム＃１を、かかる移動局ＵＥ＃１に対して割り当てるように構成されている。
【００４０】
なお、かかる場合のように、ＳＣＴＰ用ストリーム＃１乃至＃５の中で割り当てられている移動局ＵＥの数が最も少ないＳＣＴＰ用ストリームとして、複数のＳＣＴＰ用ストリーム＃１乃至＃５が存在する場合には、ＳＣＴＰレイヤは、所定規則（例えば、若番のＳＣＴＰ用ストリーム、最後に割り当てられた時間が古いＳＣＴＰ用ストリームを優先する等の規則）に従って、かかるＳＣＴＰ用ストリーム＃１乃至＃５のうちの１つを、かかる移動局ＵＥ＃１に対して割り当てるように構成されていてもよい。
【００４１】
第２に、ＳＣＴＰレイヤは、ノード＃Ａ配下の移動局ＵＥ＃２による通常呼が発生した場合に、ＳＣＴＰ用ストリーム＃１乃至＃５の中で割り当てられている移動局ＵＥの数が最も少ないＳＣＴＰ用ストリーム＃２を、かかる移動局ＵＥ＃２に対して割り当てるように構成されている。
【００４２】
第３に、ＳＣＴＰレイヤは、ノード＃Ａ配下の移動局ＵＥ＃３による緊急呼が発生した場合に、ＳＣＴＰ用ストリーム＃１乃至＃５の中で割り当てられている移動局ＵＥの数が最も少ないＳＣＴＰ用ストリーム＃３を、かかる移動局ＵＥ＃３に対して割り当てるように構成されている。
【００４３】
第４に、ＳＣＴＰレイヤは、ノード＃Ａ配下の移動局ＵＥ＃４による緊急呼が発生した場合に、ＳＣＴＰ用ストリーム＃１乃至＃５の中で割り当てられている移動局ＵＥの数が最も少ないＳＣＴＰ用ストリーム＃４を、かかる移動局ＵＥ＃４に対して割り当てるように構成されている。
【００４４】
第５に、ＳＣＴＰレイヤは、ノード＃Ａ配下の移動局ＵＥ＃５による緊急呼が発生した場合に、ＳＣＴＰ用ストリーム＃１乃至＃５の中で割り当てられている移動局ＵＥの数が最も少ないＳＣＴＰ用ストリーム＃５を、かかる移動局ＵＥ＃５に対して割り当てるように構成されている。
【００４５】
第６に、ＳＣＴＰレイヤは、ノード＃Ａ配下の移動局ＵＥ＃６による通常呼が発生した場合に、ＳＣＴＰ用ストリーム＃１乃至＃５の中で割り当てられている移動局ＵＥの数が最も少ないＳＣＴＰ用ストリーム＃１を、かかる移動局ＵＥ＃６に対して割り当てるように構成されている。
【００４６】
第７に、ＳＣＴＰレイヤは、ノード＃Ａ配下の移動局ＵＥ＃７による緊急呼が発生した場合に、ＳＣＴＰ用ストリーム＃１乃至＃５の中で割り当てられている移動局ＵＥの数が最も少ないＳＣＴＰ用ストリーム＃２を、かかる移動局ＵＥ＃７に対して割り当てるように構成されている。
【００４７】
第８に、移動局ＵＥ＃４による緊急呼が終了したため、ＳＣＴＰレイヤは、ノード＃Ａ配下の移動局ＵＥ＃８による通常呼が発生した場合に、ＳＣＴＰ用ストリーム＃１乃至＃５の中で割り当てられている移動局ＵＥの数が最も少ないＳＣＴＰ用ストリーム＃４を、かかる移動局ＵＥ＃８に対して割り当てるように構成されている。
【００４８】
第９に、ＳＣＴＰレイヤは、ノード＃Ａ配下の移動局ＵＥ＃９による通常呼が発生した場合に、ＳＣＴＰ用ストリーム＃１乃至＃５の中で割り当てられている移動局ＵＥの数が最も少ないＳＣＴＰ用ストリーム＃３を、かかる移動局ＵＥ＃９に対して割り当てるように構成されている。
【００４９】
第１０に、ＳＣＴＰレイヤは、ノード＃Ａ配下の移動局ＵＥ＃１０による通常呼が発生した場合に、ＳＣＴＰ用ストリーム＃１乃至＃５の中で割り当てられている移動局ＵＥの数が最も少ないＳＣＴＰ用ストリーム＃５を、かかる移動局ＵＥ＃１０に対して割り当てるように構成されている。
【００５０】
ここで、ＳＣＴＰレイヤは、ＳＣＴＰ用ストリーム＃１乃至＃５の中で割り当てられている移動局ＵＥの数が最も少ないＳＣＴＰ用ストリーム＃４及び＃５（割り当てられている移動局ＵＥの数：１）のうち、最後に割り当てられた時間が古いＳＣＴＰ用ストリーム＃５を、かかる移動局ＵＥ＃１０に対して割り当てるように構成されている。
【００５１】
ＳＣＴＰレイヤが、かかるアルゴリズム２を用いた場合、緊急呼と通常呼とを区別することなく、割り当てられている移動局ＵＥの数が最も少ないＳＣＴＰ用ストリームを割り当てることができるので、複雑な処理を行うことなく、「Ｈｅａｄ  Ｏｆ  Ｌｉｎｅ  Ｂｌｏｃｋｉｎｇ」の発生を避けることができる。
【００５２】
＜アルゴリズム３＞
ＳＣＴＰレイヤは、アルゴリズム３を用いると、ノード＃Ａ配下の移動局ＵＥによる緊急呼が発生した場合、かかる移動局ＵＥに対して緊急ＳＣＴＰ用ストリームのうちの１つを割り当てるように構成されている。
【００５３】
また、ＳＣＴＰレイヤは、アルゴリズム３を用いると、ノード＃Ａ配下の移動局ＵＥによる通常呼が発生した場合、かかる移動局ＵＥに対して通常ＳＣＴＰ用ストリームのうちの１つを割り当てるように構成されている。
【００５４】
ここで、ＳＣＴＰレイヤは、図５に示すように、ＳＣＴＰ用ストリーム＃１乃至＃５を、緊急呼を行う移動局ＵＥに対して割り当て可能な緊急ＳＣＴＰ用ストリーム＃４及び＃５と、通常呼を行う移動局ＵＥに対して割り当て可能な通常ＳＣＴＰ用ストリーム＃１乃至＃３とに分けて管理するように構成されている。
【００５５】
例えば、ＳＣＴＰレイヤは、図５に示すように、第１に、ノード＃Ａ配下の移動局ＵＥ＃１による通常呼が発生した場合に、通常ＳＣＴＰ用ストリーム＃１を、かかる移動局ＵＥ＃１に対して割り当てるように構成されている。
【００５６】
ここで、ＳＣＴＰレイヤは、通常ＳＣＴＰ用ストリーム＃１乃至＃３のうち、割り当てられている移動局ＵＥの数が最も少なく、かつ、識別番号が最も小さい通常ＳＣＴＰ用ストリームである通常ＳＣＴＰ用ストリーム＃１を、かかる移動局ＵＥ＃１に対して割り当てるように構成されている。
【００５７】
なお、かかる場合のように、複数の通常ＳＣＴＰ用ストリーム＃１乃至＃３が存在する場合には、ＳＣＴＰレイヤは、所定規則（例えば、割り当てられている移動局の数が最も少ない通常ＳＣＴＰ用ストリーム、識別番号の小さい通常ＳＣＴＰ用ストリーム、最後に割り当てられた時間が古いＳＣＴＰ用ストリームを優先する等の規則）に従って、かかる通常ＳＣＴＰ用ストリーム＃１乃至＃３のうちの１つを、かかる移動局ＵＥ＃１に対して割り当てるように構成されていてもよい。
【００５８】
第２に、ＳＣＴＰレイヤは、ノード＃Ａ配下の移動局ＵＥ＃２による通常呼が発生した場合に、通常ＳＣＴＰ用ストリーム＃２を、かかる移動局ＵＥ＃２に対して割り当てるように構成されている。
【００５９】
第３に、ＳＣＴＰレイヤは、ノード＃Ａ配下の移動局ＵＥ＃２による緊急呼が発生した場合に、緊急ＳＣＴＰ用ストリーム＃４を、かかる移動局ＵＥ＃３に対して割り当てるように構成されている。
【００６０】
ここで、ＳＣＴＰレイヤは、緊急ＳＣＴＰ用ストリーム＃４及び＃５のうち、割り当てられている移動局ＵＥの数が最も少なく、かつ、識別番号が最も小さい緊急ＳＣＴＰ用ストリームである緊急ＳＣＴＰ用ストリーム＃４を、かかる移動局ＵＥ＃３に対して割り当てるように構成されている。
【００６１】
なお、かかる場合のように、複数の緊急ＳＣＴＰ用ストリーム＃４及び＃５が存在する場合には、ＳＣＴＰレイヤは、所定規則（例えば、割り当てられている移動局の数が最も少ない緊急ＳＣＴＰ用ストリーム、識別番号の小さい緊急ＳＣＴＰ用ストリーム、最後に割り当てられた時間が古いＳＣＴＰ用ストリームを優先する等の規則）に従って、かかる緊急ＳＣＴＰ用ストリーム＃４及び＃５のうちの１つを、かかる移動局ＵＥ＃３に対して割り当てるように構成されていてもよい。
【００６２】
第４に、ＳＣＴＰレイヤは、ノード＃Ａ配下の移動局ＵＥ＃４による緊急呼が発生した場合に、緊急ＳＣＴＰ用ストリーム＃５を、かかる移動局ＵＥ＃４に対して割り当てるように構成されている。
【００６３】
第５に、ＳＣＴＰレイヤは、ノード＃Ａ配下の移動局ＵＥ＃５による緊急呼が発生した場合に、緊急ＳＣＴＰ用ストリーム＃４を、かかる移動局ＵＥ＃５に対して割り当てるように構成されている。
【００６４】
第６に、ＳＣＴＰレイヤは、ノード＃Ａ配下の移動局ＵＥ＃６による通常呼が発生した場合に、通常ＳＣＴＰ用ストリーム＃３を、かかる移動局ＵＥ＃６に対して割り当てるように構成されている。
【００６５】
第７に、ＳＣＴＰレイヤは、ノード＃Ａ配下の移動局ＵＥ＃７による緊急呼が発生した場合に、緊急ＳＣＴＰ用ストリーム＃５を、かかる移動局ＵＥ＃７に対して割り当てるように構成されている。
【００６６】
ＳＣＴＰレイヤは、かかるアルゴリズム３を用いた場合、ノード＃Ａとノード＃Ｚとの間において緊急呼が発生していない状態で、緊急呼を行う移動局ＵＥに対しては、必ず空いている緊急ＳＣＴＰ用ストリームを割り当てることができる。
【００６７】
また、ＳＣＴＰレイヤは、かかるアルゴリズム３を用いると、緊急呼の発生頻度が低い場合には、通常呼の発生頻度が高い場合であっても、緊急呼を行う移動局に対して優先的にＳＣＴＰ用ストリームを割り当てることができる。
【００６８】
＜アルゴリズム４＞
ＳＣＴＰレイヤは、アルゴリズム４を用いると、ノード＃Ａ配下の移動局ＵＥによる呼が発生した場合、かかる移動局ＵＥに対して、割り当て可能なＳＣＴＰ用ストリームの中で、割り当てられている移動局ＵＥの数が最も少ないＳＣＴＰ用ストリームを割り当てるように構成されている。
【００６９】
ここで、ノード＃Ａ及びノード＃Ｚは、割り当て可能なＳＣＴＰ用ストリームを管理しており、最初の緊急呼が発生した場合に、かかる割り当て可能なＳＣＴＰ用ストリームの数を増やすように構成されている。
【００７０】
図６の例では、緊急呼が発生していない場合には、割り当て可能なＳＣＴＰ用ストリームは、ＳＣＴＰ用ストリーム＃１乃至＃３であり、緊急呼が発生した場合には、割り当て可能なＳＣＴＰ用ストリームは、ＳＣＴＰ用ストリーム＃１乃至＃５である。
【００７１】
例えば、ＳＣＴＰレイヤは、図６に示すように、第１に、ノード＃Ａ配下の移動局ＵＥ＃１による通常呼が発生した場合に、割り当て可能なＳＣＴＰ用ストリーム＃１乃至＃３の中で、割り当てられている移動局ＵＥの数が最も少なく、かつ、識別番号が最も小さいＳＣＴＰ用ストリーム＃１を、かかる移動局ＵＥ＃１に対して割り当てるように構成されている。
【００７２】
なお、かかる場合のように、割り当て可能なＳＣＴＰ用ストリームとして複数のＳＣＴＰ用ストリーム＃１乃至＃３が管理されている場合には、ＳＣＴＰレイヤは、所定規則（例えば、割り当てられている移動局の数が最も少ないＳＣＴＰ用ストリーム、識別番号の小さいＳＣＴＰ用ストリーム、最後に割り当てられた時間が古いＳＣＴＰ用ストリームを優先する等の規則）に従って、かかる割り当て可能なＳＣＴＰ用ストリーム＃１乃至＃３のうちの１つを、かかる移動局ＵＥ＃１に対して割り当てるように構成されていてもよい。
【００７３】
第２に、ＳＣＴＰレイヤは、ノード＃Ａ配下の移動局ＵＥ＃２による通常呼が発生した場合に、割り当て可能なＳＣＴＰ用ストリーム＃１乃至＃３の中で、割り当てられている移動局ＵＥの数が最も少なく、かつ、識別番号が最も小さいＳＣＴＰ用ストリーム＃２を、かかる移動局ＵＥ＃２に対して割り当てるように構成されている。
【００７４】
第３に、ＳＣＴＰレイヤは、ノード＃Ａ配下の移動局ＵＥ＃３による緊急呼が発生した場合に、割り当て可能なＳＣＴＰ用ストリームの数を１つ増加させ（すなわち、ＳＣＴＰ用ストリーム＃１乃至＃３→ＳＣＴＰ用ストリーム＃１乃至＃４）、割り当て可能なＳＣＴＰ用ストリーム＃１乃至＃４の中で、割り当てられている移動局ＵＥの数が最も少ないＳＣＴＰ用ストリーム＃４を、かかる移動局ＵＥ＃３に対して割り当てるように構成されている。
【００７５】
ここで、ＳＣＴＰレイヤは、ノード＃Ａ配下の移動局ＵＥ＃３による緊急呼（最初の緊急呼）が発生した場合に、割り当て可能なＳＣＴＰ用ストリーム＃１乃至＃４の中で、割り当てられている移動局ＵＥの数が最も少ないＳＣＴＰ用ストリーム＃３及び＃４のうち、割り当て可能なＳＣＴＰ用ストリームとして新たに追加されたＳＣＴＰ用ストリーム＃４を、優先して、かかる移動局ＵＥ＃３に対して割り当てるように構成されている。
【００７６】
第４に、ＳＣＴＰレイヤは、ノード＃Ａ配下の移動局ＵＥ＃４による緊急呼が発生した場合に、割り当て可能なＳＣＴＰ用ストリームの数を１つ増加させ（すなわち、ＳＣＴＰ用ストリーム＃１乃至＃４→ＳＣＴＰ用ストリーム＃１乃至＃５）、割り当て可能なＳＣＴＰ用ストリーム＃１乃至＃５の中で、割り当てられている移動局ＵＥの数が最も少ないＳＣＴＰ用ストリーム＃５を、かかる移動局ＵＥ＃４に対して割り当てるように構成されている。
【００７７】
ここで、ＳＣＴＰレイヤは、ノード＃Ａ配下の移動局ＵＥ＃４による緊急呼が発生した場合に、割り当て可能なＳＣＴＰ用ストリーム＃１乃至＃５の中で、割り当てられている移動局ＵＥの数が最も少ないＳＣＴＰ用ストリーム＃３及び＃５のうち、割り当て可能なＳＣＴＰ用ストリームとして新たに追加されたＳＣＴＰ用ストリーム＃５を、優先的に、かかる移動局ＵＥ＃４に対して割り当てるように構成されている。
【００７８】
なお、ＳＣＴＰレイヤは、ノード＃Ａ配下の移動局ＵＥ＃３による緊急呼が発生した場合に、割り当て可能なＳＣＴＰ用ストリームの数を２つ増加させ（すなわち、ＳＣＴＰ用ストリーム＃１乃至＃３→ＳＣＴＰ用ストリーム＃１乃至＃５）、ノード＃Ａ配下の移動局ＵＥ＃４による緊急呼が発生した場合に、割り当て可能なＳＣＴＰ用ストリームの数を増加させなくてもよい。
【００７９】
第５に、ＳＣＴＰレイヤは、ノード＃Ａ配下の移動局ＵＥ＃５による緊急呼が発生した場合に、割り当て可能なＳＣＴＰ用ストリーム＃１乃至＃５の中で、割り当てられている移動局ＵＥの数が最も少ないＳＣＴＰ用ストリーム＃３を、かかる移動局ＵＥ＃５に対して割り当てるように構成されている。
【００８０】
第６に、ＳＣＴＰレイヤは、ノード＃Ａ配下の移動局ＵＥ＃６による通常呼が発生した場合に、割り当て可能なＳＣＴＰ用ストリーム＃１乃至５の中で、割り当てられている移動局ＵＥの数が最も少なく、かつ、識別番号が最も小さいＳＣＴＰ用ストリーム＃１を、かかる移動局ＵＥ＃６に対して割り当てるように構成されている。
【００８１】
第７に、ＳＣＴＰレイヤは、ノード＃Ａ配下の移動局ＵＥ＃７による緊急呼が発生した場合に、割り当て可能なＳＣＴＰ用ストリーム＃１乃至＃５の中で、割り当てられている移動局ＵＥの数が最も少なく、かつ、識別番号が最も小さいＳＣＴＰ用ストリーム＃２を、かかる移動局ＵＥ＃７に対して割り当てるように構成されている。
【００８２】
第８に、移動局ＵＥ＃４による緊急呼が終了したため、ＳＣＴＰレイヤは、ノード＃Ａ配下の移動局ＵＥ＃８による通常呼が発生した場合に、割り当て可能なＳＣＴＰ用ストリーム＃１乃至＃５の中で、割り当てられている移動局ＵＥの数が最も少なく、かつ、識別番号が最も小さいＳＣＴＰ用ストリーム＃５を、かかる移動局ＵＥ＃８に対して割り当てるように構成されている。
【００８３】
第９に、ＳＣＴＰレイヤは、ノード＃Ａ配下の移動局ＵＥ＃９による通常呼が発生した場合に、割り当て可能なＳＣＴＰ用ストリーム＃１乃至＃５の中で、割り当てられている移動局ＵＥの数が最も少なく、かつ、最後に割り当てられた時間が古いＳＣＴＰ用ストリーム＃４を、かかる移動局ＵＥ＃９に対して割り当てるように構成されている。
【００８４】
第１０に、ＳＣＴＰレイヤは、ノード＃Ａ配下の移動局ＵＥ＃１０による通常呼が発生した場合に、割り当て可能なＳＣＴＰ用ストリーム＃１乃至＃５の中で、割り当てられている移動局ＵＥの数が最も少なく、かつ、最後に割り当てられた時間が古いＳＣＴＰ用ストリーム＃４を、かかる移動局ＵＥ＃１０に対して割り当てるように構成されている。
【００８５】
なお、ＳＣＴＰレイヤは、全ての緊急呼が終了した場合でも、割り当て可能なＳＣＴＰ用ストリームの数を減らさなくてもよいし、全ての緊急呼が終了した場合に、割り当て可能なＳＣＴＰ用ストリームを初期状態に戻してもよい。
【００８６】
ＳＣＴＰレイヤは、かかるアルゴリズム４を用いた場合、ノード＃Ａとノード＃Ｚとの間において緊急呼が発生していない状態で、緊急呼を行う移動局ＵＥに対しては、必ず空いているＳＣＴＰ用ストリームを割り当てることができる。
【００８７】
また、ＳＣＴＰレイヤは、かかるアルゴリズム４を用いると、緊急呼の発生頻度が増加した場合であっても、割り当てられている移動局ＵＥの数が最も少ないＳＣＴＰ用ストリームを割り当てることができる。
【００８８】
なお、ＳＣＴＰレイヤは、上述のアルゴリズム１乃至４の少なくとも１つに対して適応可能である。なお、ＳＣＴＰレイヤは、上述のアルゴリズム１乃至４のうちの２つ以上に適応可能であり、オペレータ等が、どのアルゴリズムを適応すべきかについて選択することができるように構成されていてもよい。
【００８９】
以上に述べた本実施形態の特徴は、以下のように表現されていてもよい。
【００９０】
本実施形態の第１の特徴は、ノード＃Ａ（第１ノード）とノード＃Ｚ（第２ノード）との間で、１つ又は複数のＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）用ストリームを設定するように構成されている移動通信システムであって、ノード＃Ａ及びノード＃Ｚは、ノード＃Ａ配下の移動局ＵＥによる呼が発生した場合、かかる呼が緊急呼であるか通常呼であるかに関わらず、設定されているＳＣＴＰ用ストリームのうちの１つを、かかる移動局ＵＥに対してラウンドロビンで割り当てるように構成されていることを要旨とする。
【００９１】
本実施形態の第２の特徴は、ノード＃Ａとノード＃Ｚとの間で、１つ又は複数のＳＣＴＰ用ストリームを設定するように構成されている移動通信システムであって、ノード＃Ａ及びノード＃Ｚは、ノード＃Ａ配下の移動局ＵＥによる呼が発生した場合、かかる呼が緊急呼であるか通常呼であるかに関わらず、設定されているＳＣＴＰ用ストリームの中で割り当てられている移動局ＵＥの数が最も少ないＳＣＴＰ用ストリームを、かかる移動局ＵＥに対して割り当てるように構成されていることを要旨とする。
【００９２】
本実施形態の第３の特徴は、ノード＃Ａとノード＃Ｚとの間で、１つ又は複数のＳＣＴＰ用ストリームを設定するように構成されている移動通信システムであって、ノード＃Ａ及びノード＃Ｚは、設定されているＳＣＴＰ用ストリームを、緊急呼を行う移動局ＵＥに対して割り当て可能な緊急ＳＣＴＰ用ストリームと通常呼を行う移動局ＵＥに対して割り当て可能な通常ＳＣＴＰ用ストリームとに分けて管理するように構成されており、ノード＃Ａ及びノード＃Ｚは、ノード＃Ａ配下の第１移動局ＵＥによる緊急呼が発生した場合、かかる第１移動局ＵＥに対して緊急ＳＣＴＰ用ストリームのうちの１つを割り当てるように構成されており、ノード＃Ａ及びノード＃Ｚは、ノード＃Ａ配下の第２移動局ＵＥによる通常呼が発生した場合、かかる第２移動局ＵＥに対して通常ＳＣＴＰ用ストリームのうちの１つを割り当てるように構成されていることを要旨とする。
【００９３】
本実施形態の第４の特徴は、ノード＃Ａとノード＃Ｚとの間で、１つ又は複数のＳＣＴＰ用ストリームを設定するように構成されている移動通信システムであって、ノード＃Ａ及びノード＃Ｚは、ＳＣＴＰ用ストリームの中で移動局ＵＥに対して割り当て可能なＳＣＴＰ用ストリームを管理しており、ノード＃Ａ及びノード＃Ｚは、ノード＃Ａ配下の移動局ＵＥによる呼が発生した場合、かかる移動局ＵＥに対して、割り当て可能なＳＣＴＰ用ストリームの中で、割り当てられている移動局ＵＥの数が最も少ないＳＣＴＰ用ストリームを割り当てるように構成されており、ノード＃Ａ及びノード＃Ｚは、最初の緊急呼が発生した場合に、割り当て可能なＳＣＴＰ用ストリームの数を増やすように構成されていることを要旨とする。
【００９４】
なお、上述のノード＃Ａ/＃Ｚの動作は、ハードウェアによって実施されてもよいし、プロセッサによって実行されるソフトウェアモジュールによって実施されてもよいし、両者の組み合わせによって実施されてもよい。
【００９５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ノード＃Ａ/＃Ｚ内に設けられていてもよい。また、かかる記憶媒体及びプロセッサは、ディスクリートコンポーネントとしてノード＃Ａ/＃Ｚ内に設けられていてもよい。
【００９７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９８】
＃Ａ、＃Ｚ…ノード
【図１】
0005498354.tif 000002
【図２】
0005498354.tif 000003
【図３】
0005498354.tif 000004
【図４】
0005498354.tif 000005
【図５】
0005498354.tif 000006
【図６】
0005498354.tif 000007